(57)【要約】【課題】  移動ユーザの状態、嗜好性などのユーザ個人に基づいた地図コンテンツを発見し、加工して配信する。【解決手段】  移動ユーザの状態を判定して管理するユーザ状態管理部１と、移動ユーザの嗜好性などの情報を管理する個人情報管理部２と、ユーザ状態管理部１で得られた当該移動ユーザの状態と、個人情報管理部２で得られた当該移動ユーザの嗜好性とに応じて地図情報を検索し発見する地図情報検索部３と、当該地図情報検索部３で検索された地図情報を加工する加工部４と、当該加工部４で得られた地図情報が、当該移動ユーザの状態および嗜好性に合致しているかを評価する評価部５とを備える。【選択図】      図３
2005327128.tif 000002
【特許請求の範囲】
【請求項１】
移動ユーザの所望とする地図コンテンツを当該移動ユーザに選択させ、当該所望とする地図コンテンツを配信する地図コンテンツ配信システムであって、
当該移動ユーザの状態に関する情報を管理するユーザ状態管理手段と、
当該移動ユーザ個人に関する情報を管理するユーザ個人情報管理手段と、
前記地図コンテンツまたは当該地図コンテンツに関連するデータベースを管理する情報管理手段と、
当該移動ユーザの状態および当該移動ユーザ個人に関する情報に基づいて、前記情報管理手段で管理されているデータベースの中から前記所望とする地図コンテンツを検索し発見する地図情報検索手段と、
当該移動ユーザの状態および当該移動ユーザ個人に関する情報に適合するように、前記地図情報検索手段により発見された地図コンテンツを加工する地図情報加工手段と、
各手段を制御する制御手段と、
を備えたことを特徴とする地図コンテンツ配信システム。
【請求項２】
請求項１の地図コンテンツ配信システムにおいて、
前記地図情報加工手段で取得された地図情報が、当該移動ユーザの状態および当該移動ユーザ個人の情報に合致しているか否かを評価する評価手段をさらに備えたことを特徴とする地図情報コンテンツ配信システム。
【請求項３】
請求項１または２の地図コンテンツ配信システムにおいて、
当該移動ユーザの状態に関する情報は、当該移動ユーザの緯度、経度、および高度よりなる位置情報と、当該移動ユーザの移動速度と、当該移動ユーザの移動方向とを含むことを特徴とする地図コンテンツ配信システム。
【請求項４】
請求項１〜３のいずれか１項の地図コンテンツ配信システムにおいて、
当該移動ユーザ個人に関する情報は、当該移動ユーザのプロファイルと、当該移動ユーザの移動目的と、当該移動ユーザの嗜好性に関する情報とを含むことを特徴とする地図コンテンツ配信システム。
【請求項５】
請求項３の地図コンテンツ配信システムにおいて、
前記制御手段は、前記ユーザ状態管理手段で管理されている移動速度の情報から、前記地図コンテンツにおける地図情報の表示範囲を決定するアルゴリズムを具備することを特徴とする地図コンテンツ配信システム。
【請求項６】
請求項５の地図コンテンツ配信システムにおいて、
前記ユーザ状態管理手段は、当該移動ユーザの位置情報および移動速度の情報の履歴を保存し、前記制御手段は、当該履歴に基づいて、当該移動ユーザの次の移動範囲を予測することを特徴とする地図コンテンツ配信システム。
【請求項７】
請求項１〜６のいずれか１項の地図コンテンツ配信システムにおいて、
前記ユーザ状態管理手段および前記ユーザ個人情報管理手段は、当該移動ユーザの状態に関する情報および当該移動ユーザ個人に関する情報にパラメータを導入し、前記地図情報加工手段は、当該パラメータに適合した地図コンテンツ情報を取得することを特徴とする地図コンテンツ配信システム。
【請求項８】
請求項1〜７のいずれか1項の地図コンテンツ配信システムにおいて、
前記地図情報加工手段は、前記地図コンテンツと当該地図コンテンツに関連する地図コンテンツ関連情報とをマッピングする手段を備え、前記地図コンテンツと前記地図コンテンツ関連情報とをリンク可能にしたことを特徴とする地図コンテンツ配信システム。
【請求項９】
移動ユーザの所望とする地図コンテンツを当該移動ユーザに選択させ、当該所望とする地図コンテンツを配信する地図コンテンツ配信方法であって、
当該移動ユーザの状態に関する情報を管理するユーザ状態管理ステップと、
当該移動ユーザ個人に関する情報を管理するユーザ個人情報管理ステップと、
前記地図コンテンツまたは当該地図コンテンツに関連するデータベースを管理する情報管理ステップと、
当該移動ユーザの状態および当該移動ユーザ個人に関する情報に基づいて、前記情報管理手段で管理されているデータベースの中から前記所望とする地図コンテンツを検索し発見する地図情報検索ステップと、
当該移動ユーザの状態および当該移動ユーザ個人に関する情報に適合するように、前記地図情報検索手段により発見された地図コンテンツを加工する地図情報加工ステップと、
各ステップを制御する制御ステップと、
を含むことを特徴とする地図コンテンツ配信方法。
【発明の詳細な説明】
【技術分野】
【０００１】
移動中のユーザの状態（歩行中、乗車中など）に応じた地図コンテンツを配信するシステムに関し、特に、ユーザの位置情報および移動速度をベースとする地図配信サービス、広告配信サービスなどに適用することができる地図コンテンツ配信システムおよび地図コンテンツ配信システムに関する。
【背景技術】
【０００２】
現状の地図コンテンツ配信サービスにおいては、ユーザがインターネットなどを介して地図コンテンツサイトにアクセスして、地図コンテンツを取得している。その際、地図コンテンツの拡大および縮小は可能であるが、地図コンテンツそのものは、汎用的な地図コンテンツであり、ユーザの目的に合った地図情報ではない場合も多々ある。
すなわち、ユーザは、ただ単に地図情報を入手したいという場合と、周辺の店を探したいという目的があり、その目的に到達するための手段として地図情報を入手したい場合と、状況によって地図情報が必要になる場合など、種々の状況が考えられる。しかし、現状の仕組みでは、店舗情報は店舗情報案内サイトを検索する必要があったり、地図情報は地図コンテンツサイトを検索する必要があったり、一つの目的に対して複数の作業が必要になる場合もある。このため、店舗情報案内サイトから店舗の場所を示す地図情報サイトに画面遷移することができるサイトもある。
【０００３】
図１７は、従来のシステムにおける地図情報利用の仕組みを示す概略図である。（ａ）はプロバイダが地図コンテンツプロバイダのみの場合、（ｂ）は地図コンテンツプロバイダおよび店舗情報提供プロバイダの場合を示す。
まず、図１７（ａ）に示すように、ユーザは、ネットワークで接続された地図サイト、例えば地図コンテンツプロバイダＡまたは地図コンテンツプロバイダＢに直接アクセスして、自分の居る場所や自分がこれから行く場所の地図の情報を取得することができる。
【０００４】
また、図１７（ｂ）に示すように、ユーザは、ネットワークで接続された地図サイトまたは店舗検索サイト、例えば店舗情報提供プロバイダに直接アクセスして店舗を検索し、その店舗への行き方や店舗の場所を確認するために地図の情報を取得して利用することができる。この例では、店舗情報や案内サイト（例えば、ぐるナビなど）は、店舗の情報とその地図情報とを連携して表示する仕組みを持っている。また、地図情報は、店舗の情報提供プロバイダが店舗の地図として独自で所有している。
【０００５】
図１８は、従来のシステムにおける地図情報利用サービスの画面を示す図である。
同図に示すように、従来のｉエリアサービスエリアにおいては、（ａ）ｉエリアとして横須賀、鎌倉などと比較的広範囲の領域ごとに選択し、（ｂ）天気、地図、グルメ・タウン情報のいずれの情報を取得したいのかを選択し、例えば、グルメ・タウン情報を選択すると、（ｃ）和食、中華、フレンチのいずれを選択するかという画面が表示され、その際、和食を選択すると、例えば、（ｄ）野比食堂が表示され、同時に電話番号、営業時間などが表示され、地図の部分をクリックすると、（ｅ）ある程度の範囲のユーザの移動範囲内の地図情報を取得できる。また、その情報からユーザの求める店舗の情報、天気の情報などを限定して提供するサービスエリアが存在する場合がある。
【０００６】
このように、従来のｉエリアサービスにおいては、ユーザの現在位置に係る大まかな地理情報が提供され、その地理情報からユーザの必要な情報のジャンル（例えば、天気など）をユーザが選択して、そのジャンルにある情報提供者を選択し、必要な情報をユーザに選択させて、限定していくようなサービスが提供されている。従って、ある程度の範囲のユーザの位置情報ならば取得することができ、その情報からユーザの求めている店舗の情報、天気の情報などを限定して提供するが、ユーザの大まかな情報が提供されるだけである。このようにして、従来例においては、その地理情報からユーザの必要な情報のジャンルをユーザが選択してそのジャンルの情報をユーザに選択させて、限定していく方法を採用している。
【０００７】
また、特許文献１には、道案内情報サーバ装置および道案内情報提供システムが記載され、道案内に特化した地図情報を効率的かつ速やかに提供可能にするために、地図情報サーバ装置、広告情報サーバ装置、クライアント装置をネットワークで接続し、これによって、道案内に特化した地図情報をクライアント端末に表示させ、ユーザ属性情報に対応する適切な広告情報をクライアント側に提供することが記載されている。クライアント端末は、位置情報検出機能を具備した移動体通信端末または固定端末であり、それぞれ無線または有線のネットワークに接続されている。
【０００８】
また、特許文献２には、情報提供センターから車両端末のユーザに対して、個々のユーザにカスタマイズした情報を提供するために、情報提供センターが、インターネットからコンテンツを収集し、収集したコンテンツを車両端末環境に特化したタグを持つ記述言語に変換し、車両やユーザの置かれている状況およびユーザの嗜好情報を元に当該ユーザにカスタマイズしたコンテンツを提供する情報提供システムが記載されている。
【０００９】
また、特許文献３には、ユーザの状況や時間帯に応じて、ユーザが必要とする最新の情報を提供するものであり、ユーザの移動速度、距離、および現時刻情報から、そのユーザの登録情報を判定することによってユーザへ閲覧させる情報を決定し、その決定した内容に基づいてコンテンツ・ホルダ・サーバから各種情報を収集し、ユーザが利用可能な固定端末に情報を創出する情報収集配信方法が記載されている。
【００１０】
また、非特許文献１には、ＸＭＬ（Ｅｘｔｅｎｓｉｂｌｅ  Ｍａｒｋｕｐ  Ｌａｎｇｕａｇｅ）をベースとする地理情報配信システムの構築について記載されている。このシステムは、ＸＭＬとその関連仕様を用いて、分散した地理情報モデルを加工し、利用者要求に応じた構造を持つ情報モデルと多様な可視化要求に応じて配信するシステムである。
【００１１】
また、非特許文献２には、地域を対象とした地図コンテンツ流通機構の提案について記載され、情報環境の整備を目指す計画を推進し、高度情報化施策に先進的に取り組む際に、これに伴い、行政機関、民間企業、研究機関などで、デジタル地図を用いて質の高い地域情報（防災、観光、気象など）の提供を進めることが記載されている。この研究では、今後需要が高まることが期待される地図コンテンツの流通機構の構築を目指し、地図コンテンツの所在情報をメタデータとして管理し、誰が、いつ、どんな情報を、どのような目的で提供しているのか、どのように利用できるのかという視点からメタデータ検索サービスを提供する。また、地図コンテンツの提供者に対してメタデータの登録および更新サービスを提供する。
【００１２】
また、非特許文献３には、ジオリンク京都のページで、地図上のアイコンをクリックするとホームページを表示し、マウスをドラッグすると地図を動かすことができ、地図上の＋，−で拡大および縮小が可能になる。また、目的とする分類が既に作成されており、この分類の中から表示するカテゴリを選択するようになっているか、あるいはキーワードを用いて検索できるようになっている。このジオリンク京都は、リンク情報として、食事、買物、観光、学校、健康、交通、生活、娯楽、企業、研究、避難、その他に分類されており、さらに、例えば、食事の中でも、レストラン、和食、中華、料理店などに分類されている。
【特許文献１】特願２０００−２４６４４４号公報
【特許文献２】特願２００２−１３２６４５号公報
【特許文献３】特願２００３−２４２１６９号公報
【非特許文献１】ＸＭＬをベースとする地理情報配信システムの構築、山島一浩、石塚英弘、図書館情報大学，ｈｔｔｐ：ｗｗｗ．ｄｌ．ｕｌｉｓ．ａｃ．ｊｐ／ＤＬｊｏｕｒｎａｌ／Ｎｏ＿２０／３−ｙａｍａｋ／３−ｙａｍａｋ．ｈｔｍｌ
【非特許文献２】地域を対象とした地図コンテンツ流通機構の提案、南野謙一、安部昭博、渡辺慶和  岩手県立大学ソフトウェア情報学部，ｈｔｔｐ：ｗｗｗ．ｗａｔ．ｓｏｆｔ．ｉｗａｔｅ−ｐｕ．ａｃ．ｊｐ／ＩＮＳ−ＩＳ／Ｃｏｎｔｅｎｔｓ／ＰＤＦ／Ｎｏ＿９−２．ｐｄｆ
【非特許文献３】ＧｅｏＬｉｎｋ  Ｋｙｏｔｏ，ｈｔｔｐ：／／ｗｗｗ．ｄｉｇｉｔａｌｃｉｔｙ．ｇｒ．ｊｐ／ｏｐｅｎｌａｂ／ｋｙｏｔｏ／ｍａｐ＿ｇｕｉｄｅ＿ｊ．ｈｔｍｌ
【発明の開示】
【発明が解決しようとする課題】
【００１３】
しかしながら、上述した従来の地図コンテンツサービスにおいては、いずれも以下のような課題がある。
まず、移動ユーザの状態と移動ユーザの目的（レストラン探しや、道に迷っているなど）に応じた地図コンテンツ情報ではないこと。すなわち、普遍的な地図情報にレストランの位置が示されているのみで、実際のユーザの位置から目的地に最短で到達することを目的とした地図コンテンツではなく、移動ユーザの状況や目的に応じて適切な地図コンテンツを入手することが困難であるという問題がある。
【００１４】
このように、従来の技術は、ユーザの状態、嗜好性などのユーザ個人に応じた地図情報を提供する仕組みは無く、地図コンテンツプロバイダによって汎用的な地図が提案されているのみである。
本発明は、上述した事情に鑑みてなされたものであって、ユーザの状態、嗜好性などのユーザ個人に応じた移動端末の地図コンテンツ配信システムおよび地図コンテンツ配信方法を提供をすることを目的としている。
【課題を解決するための手段】
【００１５】
上記目的を達成するために、請求項１記載の地図コンテンツ配信システムは、
移動ユーザの所望とする地図コンテンツを当該移動ユーザに選択させ、当該所望とする地図コンテンツを配信する地図コンテンツ配信システムであって、
当該移動ユーザの状態に関する情報を管理するユーザ状態管理手段と、
当該移動ユーザ個人に関する情報を管理するユーザ個人情報管理手段と、
前記地図コンテンツまたは当該地図コンテンツに関連するデータベースを管理する情報管理手段と、
当該移動ユーザの状態および当該移動ユーザ個人に関する情報に基づいて、前記情報管理手段で管理されているデータベースの中から前記所望とする地図コンテンツを検索し発見する地図情報検索手段と、
当該移動ユーザの状態および当該移動ユーザ個人に関する情報に適合するように、前記地図情報検索手段により発見された地図コンテンツを加工する地図情報加工手段と、
各手段を制御する制御手段と、を備えたことを特徴とする。
【００１６】
この構成によれば、ユーザ状態管理手段が、当該移動ユーザの状態に関する情報を管理し、ユーザ個人情報管理手段が当該移動ユーザ個人に関する情報を管理し、地図情報検索手段が、移動ユーザの状態および当該移動ユーザ個人に関する情報に基づいて地図情報を検索し発見し、地図情報作成手段が、当該移動ユーザの状態および当該移動ユーザ個人に関する情報とに基づいて、前記所望とする地図情報を作成し、情報管理手段が、地図コンテンツまたは当該地図コンテンツに関連するデータベースを管理し、制御手段により各手段を制御するので、移動ユーザに合った地図コンテンツを配信でき、移動ユーザが必要とする所望の情報の提供が可能になり、ユーザにとって、利便性の高い地図情報配信、地図情報および店舗情報の利用が可能になるという効果が得られる。
【００１７】
請求項２の地図コンテンツ配信システムは、請求項１において、
前記地図情報加工手段で取得された地図情報が、当該移動ユーザの状態および当該移動ユーザ個人の情報に合致しているか否かを評価する評価手段をさらに備えたことを特徴とする。
この構成によれば、地図情報加工手段で取得された地図情報が、当該移動ユーザの状態および当該移動ユーザの嗜好性に合致しているか否かを評価する評価手段をさらに備えているので、タイミング良く、評価手段を使用することによって、より確実に所望の地図情報を配信することができるという効果が得られる。
【００１８】
請求項３の地図コンテンツ配信システムは、請求項１または２において、
当該移動ユーザの状態に関する情報は、当該移動ユーザの緯度、経度、および高度よりなる位置情報と、当該移動ユーザの移動速度と、当該移動ユーザの移動方向とを含むことを特徴とする。
この構成によれば、ユーザ状態管理手段が、位置情報と移動速度情報とを管理しているので、これら位置情報および移動速度情報から、その度に当該移動ユーザに問い合わせる必要がないので、より利便性の高い地図情報を配信することができるという効果が得られる。
【００１９】
請求項４の地図コンテンツ配信システムは、請求項１〜３のいずれか１項において、
当該移動ユーザ個人に関する情報は、当該移動ユーザのプロファイルと、当該移動ユーザの移動目的と、当該移動ユーザの嗜好性に関する情報とを含むことを特徴とする。
この構成によれば、ユーザ個人情報管理手段が、当該移動ユーザのプロファイル、当該移動ユーザの目的、または当該移動ユーザの好みを管理するので、一度登録すれば、再度問い合わせる必要がない。従って、より利便性の高い地図情報を配信することができるという効果が得られる。
【００２０】
請求項５の地図コンテンツ配信システムは、請求項３において、
前記制御手段は、前記ユーザ状態管理手段で管理されている移動速度の情報から、前記地図コンテンツにおける地図情報の表示範囲を決定するアルゴリズムを具備することを特徴とする。
この構成によれば、制御手段が、地図情報表示範囲を決定するアルゴリズムを用い、速度の値をそのまま表示範囲として設定するので、移動速度が速ければ、それに比例して広範囲に表示することができるので、その度に移動ユーザに問い合わせる必要がない。従って、移動ユーザが必要とする所望の情報を迅速に提供でき、利便性の高い地図情報配信、地図情報および店舗情報の利用が可能になるという効果が得られる。
【００２１】
請求項６の地図コンテンツ配信システムは、請求項５において、
前記ユーザ状態管理手段は、当該移動ユーザの位置情報および移動速度の情報の履歴を保存し、前記制御手段は、当該履歴に基づいて、当該移動ユーザの次の移動範囲を予測することを特徴とする。
この構成によれば、ユーザ状態管理手段が、当該移動ユーザの方向情報および位置情報の履歴を保存し、制御手段が、当該履歴に基づいて、より効率的なデータを移動ユーザと送受信するために予測的に移動ユーザの次の移動範囲を精査するので、その度に移動ユーザに問い合わせる必要がない。従って、ユーザにとって、利便性の高い地図情報配信、地図情報および店舗情報の利用が可能になるという効果が得られる。
【００２２】
請求項７の地図コンテンツ配信システムは、請求項１〜６のいずれか１項において、
前記ユーザ状態管理手段および前記ユーザ個人情報管理手段は、当該移動ユーザの状態に関する情報および当該移動ユーザ個人に関する情報にパラメータを導入し、前記地図情報加工手段は、当該パラメータに適合した地図コンテンツ情報を取得することを特徴とする。
【００２３】
この構成によれば、ユーザ状態管理手段およびユーザ個人情報管理手段は、当該移動ユーザの状態に関する情報および当該移動ユーザの嗜好性などを含む個人情報にパラメータを導入し、地図情報加工手段は、当該パラメータに適合した地図コンテンツ情報を取得するので、自動的に所望の地図コンテンツ情報を取得することができ、より利便性の高い地図情報を配信することができるという効果が得られる。
【００２４】
請求項８の地図コンテンツ配信システムは、請求項１〜７のいずれか1項にいて、
前記地図情報加工手段は、前記地図コンテンツと当該地図コンテンツに関連する地図コンテンツ関連情報とをマッピングする手段を備え、前記地図コンテンツと前記地図コンテンツ関連情報とをリンク可能にしたことを特徴とする。
この構成によれば、ユーザは、所望の地図コンテンツを取得することができると同時に、その地図コンテンツに関連する情報も容易に取得することができ、より利便性の高い地図情報を取得することができるという効果が得られる。
【００２５】
請求項９の地図コンテンツ配信方法は、
移動ユーザの所望とする地図コンテンツを当該移動ユーザに選択させ、当該所望とする地図コンテンツを配信する地図コンテンツ配信方法であって、
当該移動ユーザの状態に関する情報を管理するユーザ状態管理ステップと、
当該移動ユーザ個人に関する情報を管理するユーザ個人情報管理ステップと、
前記地図コンテンツまたは当該地図コンテンツに関連するデータベースを管理する情報管理ステップと、
当該移動ユーザの状態および当該移動ユーザ個人に関する情報に基づいて、前記情報管理手段で管理されているデータベースの中から前記所望とする地図コンテンツを検索し発見する地図情報検索ステップと、
当該移動ユーザの状態および当該移動ユーザ個人に関する情報に適合するように、前記地図情報検索手段により発見された地図コンテンツを加工する地図情報加工ステップと、
各ステップを制御する制御ステップと、を含むことを特徴とする。
【００２６】
この構成によれば、ユーザ状態管理ステップにおいて、当該移動ユーザの状態に関する情報を管理し、ユーザ個人情報管理ステップにおいて当該移動ユーザ個人に関する情報を管理し、地図情報検索ステップにおいて、移動ユーザの状態および当該移動ユーザ個人に関する情報に基づいて地図情報を検索し発見し、地図情報作成ステップにおいて、当該移動ユーザの状態および当該移動ユーザ個人の情報とに基づいて、前記所望とする地図情報を作成し、情報管理ステップにおいて、地図コンテンツまたは当該地図コンテンツに関連するデータベースを管理し、制御ステップにおいて各ステップを制御するので、移動ユーザに合った地図コンテンツを配信でき、移動ユーザが必要とする所望の情報の提供が可能になり、ユーザにとって、利便性の高い地図情報配信、地図情報および店舗情報の利用が可能になるという効果が得られる。
【００２７】
以上説明したように、本発明のシステムの構成は、インターネットまたは専用線接続によって、外部ネットワークから地図コンテンツ情報および地図コンテンツとリンクできる店舗情報、建物情報などを登録できる仕組みを提供し、登録に際して、住所および分類（飲食店、洋品店、各所史跡など）を登録する。また、地図コンテンツ情報および地図コンテンツ関連情報が登録されたデータベースは、地図コンテンツ情報の緯度、経度、高度、および表示範囲情報などを抽出する。また、表示されている事物情報も抽出する。地図コンテンツ関連情報も同様に住所から緯度、経度、および高度情報を算出して、関連する地図コンテンツ情報との対応関係を記録する。
【００２８】
また、本発明のシステムの動作は、移動ユーザからの要求に応じて、制御部は、位置情報管理から緯度、経度、高度、および速度情報を取得して、地図コンテンツ情報データベース、地図コンテンツ関連情報データベースからその情報と対応する地図コンテンツ情報を取得し、速度から表示範囲を算出するテーブルから、例えば、速度３ｋｍ／ｈならば、３ｋｍ四方の表示範囲などと導き出し、その表示範囲を検索キーとする。また、ユーザの目的（例えば、昼食、買物など）の情報をキーとして、地図コンテンツ関連情報データベースから情報を取得する。このようにして、得られた地図情報に評価表示を付加して移動ユーザに送信し、移動ユーザの評価と地図コンテンツと検索キーワード情報をログとして保存する。
【発明の効果】
【００２９】
本発明による地図コンテンツ配信システムにより、より移動ユーザに合った地図コンテンツを提供でき、必要な情報の提供が可能になり、従来の携帯電話での地図情報および店舗情報と連携した地図情報と比較して、ユーザにとって、利便性の高い地図情報配信、地図情報および店舗情報の利用が可能になる。
このシステムは、ユーザの状況および嗜好性に応じた地図コンテンツの配信であるので、複数の地図コンテンツプロバイダからユーザの状況に合う地図を発見すること、およびユーザの状況にあうように地図を加工することまでを含む。従って、場所および目的（探し物）をネットワークに通知することによって、ユーザが居る場所や周辺の情報が必要な場合は、ネットワークは、ユーザの位置情報や移動状況（移動速度）からユーザの状況にあった複数の地図情報を提案して、ユーザに選択させることができる。また、地図と関連付けたユーザの目的，嗜好性に合った情報も合わせて提案することによってよりユーザにとって有効な地図情報、地図に付随する情報を提供することができる。
また、位置情報，個人のニーズといった情報から個人の嗜好性にあった地図情報を提供することができ、状況や時間に対応する情報を提供することができる。
【発明を実施するための最良の形態】
【００３０】
以下、図面を参照して、本発明の実施形態について詳細に説明する。
〔第１実施形態〕
図１は、本発明の第１実施形態に係る地図コンテンツ配信システムにおける地図情報の取得および配信を説明する概略図である。
このシステムは、ユーザの状態に関する情報、ユーザ個人に関する情報などに基づいて、ユーザの所望とする地図コンテンツを配信するシステムである。ユーザの状態に関する情報としては、ユーザの位置情報、移動速度、移動方向などが含まれる。ユーザ個人に関する情報としては、ユーザのプロファイル、移動する目的、嗜好性などが含まれる。
【００３１】
図１を参照して、具体的に説明すると、ユーザの状態に関する情報としてユーザの位置情報、ユーザ個人に関する情報としてユーザのニーズ、ユーザのプロファイル、およびユーザの嗜好性を用い、これらユーザの位置情報、ユーザのニーズ、ユーザのプロファイル、ユーザの嗜好性を取得することにより、ユーザの所望とする地図コンテンツを配信する。ユーザの位置情報としては、例えば赤坂に居ること、ユーザのニーズ（目的）については、例えば新宿に行きたい、ユーザのプロファイルについては、例えば６０歳、ユーザの嗜好性については、例えば最短距離で行きたいなど、種々のケースが考えられる。また、移動ユーザは、地下鉄やバスなどに乗車中であったり、歩行中であったり、その状況は、時間に応じて刻々変化しているので、移動ユーザにとって必要な情報も、その時の状況によって種々変化している。
【００３２】
従って、同図に示すように、ユーザの位置情報＋ユーザのニーズ＋ユーザのプロファイル＋ユーザの嗜好性からこれらのデータをマッチングして、ユーザ個人の求める地図情報を提供する。地図情報は、ユーザ個人の状態（例えば、乗車中、歩行中など）や、使用目的、店舗を探している、道に迷っているなどによって必要な情報の表現の仕方を変えて表示する。この結果、ユーザの求める地図コンテンツとして「地下鉄路線図、文字の大きい地図」などの情報をマッチングさせた地図情報を配信する。
【００３３】
このように、本発明のシステムは、複数の地図コンテンツプロバイダからユーザの状況に合う地図を検索し発見すること、およびユーザの状況に合うように、地図を加工することまで含み、これにより、ユーザの状況および嗜好性に応じて地図コンテンツを配信することができる。
また、本発明のシステムによれば、場所と目的（探し物など）をネットワーク（以下、ＮＷとする）に通知することによって、ユーザが居る場所の周辺の情報が必要な場合には、ＮＷは、ユーザの位置情報や移動状況（移動速度）からユーザからの状況にあった複数の地図情報を提案して、ユーザに選択させることができる。
【００３４】
図２は、本発明の第１実施形態に係る地図コンテンツ配信システムにおける地図情報利用サービスの方法を具体的に示す画面である。
同図に示すように、本発明におけるｉエリアサービスにおいては、まず、（ａ）ネットワークの方から移動ユーザの位置情報とユーザ状態情報とを取得するため、ユーザ位置情報としての場所を、例えば「ここ、家の近所、会社、その他」のいずれの領域かを選択させ、「ここ」を選択したとする。次に、（ｂ）ユーザの目的としての探し物は、例えば「グルメ、駅、駐車場、ポスト」のうちいずれを目的とするのかを選択させ、ユーザの目的として「グルメ」が選択されたとする。ネットワークは、前述した「ここ」と「グルメ」に基づいて、地図関連情報を検索し、数種の地図情報を提案する。すなわち、ユーザの位置情報とユーザの個人情報とに応じた地図を数種類配信することができる。（ｃ）これらの地図を、例えば「地図Ａ、地図Ｂ」などと提示し、ユーザがプレビューでこれら候補地図を確認後、選択できるようにし、例えば、地図Ａを選択したとすると、（ｄ）地図Ａが表示され、同時に地図Ａを取得した段階で課金する。次に、ユーザが地図Ａ中の飲食店Ａのポイントを選択すると、（ｅ）飲食店Ａの近辺の地図、飲食店Ａにおけるメニューおよび料金表などが表示され、飲食店Ａへの行き方を知りたい場合には、その行き方を選択させ、（ｆ）飲食店Ａまでの地下鉄路線図、バス路線図などを表示するようにしている。
【００３５】
図３は、本発明の第１実施形態に係る地図コンテンツ配信システムにおけるサービス部の構成を示すブロック図である。
このサービス部１１は、ユーザの状況を判定して管理するユーザ状態管理部１、ユーザのニーズ、ユーザのプロファイル、およびユーザの嗜好性情報を含む個人情報を管理する個人情報管理部２、ユーザの状態や嗜好性などに応じて地図情報を検索し発見する検索部３、ユーザの状態や嗜好性に応じて情報を加工する加工部４、および取得した情報がユーザの状態や嗜好性にあっているかどうかを評価する評価部５から構成されている。また、データベースとしては、図１で説明したユーザのニーズ、ユーザのプロファイル、ユーザの嗜好性情報のデータベースを具備している。
【００３６】
同図に示すように、ユーザは、現在歩行中で、昼食に出かける途中とする。まず、ユーザがサービス部１１に対してリクエストメッセージ（Ｒｅｑｕｅｓｔ  ｍｅｓｓａｇｅ）を送信する。リクエストメッセージには、「歩行中，昼食」というメッセージが含まれる。このメッセージは、サービス部１１の検索部３に通知され、検索部３は、ユーザ状態管理部１およびユーザ個人情報管理部２に基づいて、地図情報を検索する。この検索した地図情報は、ユーザ状態およびユーザ嗜好性に適合するように加工部４で加工され、加工された地図コンテンツをインターネットを介して地図情報のリコメンデーション（Ｒｅｃｏｍｍｅｎｄａｔｉｏｎ）としてユーザに提供される。また、必要に応じて取得した地図コンテンツがユーザの状態およびユーザの嗜好性に適合しているかを評価する評価部５を具備する。このようにして、検索部３、加工部４、評価部５を用いてユーザのリクエストメッセージに応じた地図を選択し配信する。
【００３７】
このシステムは、嗜好性地図情報配信サービスを表現するサービス部１１として、ユーザの状況や状態を判定するユーザ状態管理部１と、ユーザのニーズ、プロファイル、嗜好性情報を管理するユーザ個人情報管理部２と、ユーザの状態や嗜好性に応じて地図情報を検索し発見する検索部３と、ユーザの状態や嗜好性に応じて地図情報を加工する加工部４と、取得した情報がユーザの状態や嗜好性にあっているか評価する評価部５とから構成され、検索部３によりユーザの状態や嗜好性に応じて地図情報を発見した後、この地図情報を、インターネット接続サービス４３を介して地図情報ＣＰ（コンテンツプロバイダ）４１または地図情報クリアランス４２に対して質問メッセージ（Ｑｕｅｒｙ  ｍｅｓｓａｇｅ）とともに送出する。地図情報ＣＰ４１または地図情報クリアランス４２は、ユーザに適切な地図情報をリコメンデーション（Ｒｅｃｏｍｍｅｎｄａｔｉｏｎ）する。
【００３８】
なお、同図は、ユーザの状態や嗜好性に基づく地図コンテンツ配信システムの構成をしているが、このシステムは、ビジネス状況により、コンテンツプロバイダ（以下、ＣＰとする）側で持つ場合もある。この場合、ＣＰ側での実現も考慮した機能定義を行い、ＣＰ側の主要機能として、ユーザの状態を把握して理解し管理する機能を有するユーザ状態管理部１と、ユーザのニーズ、プロファイル、嗜好性情報などを管理する機能を有するユーザ個人情報管理部２と、これらの機能と連携して、ユーザの状態や嗜好性に応じて適切な地図を検索し発見する機能を有する検索部３と、ユーザの嗜好性およびユーザの状態に応じて情報を加工する機能を有する加工部４と、取得した情報がユーザが要求した嗜好性および状態にあっているか否かを評価する機能を有する評価部５とを備えることができる。
また、本実施形態によれば、ユーザの位置情報（緯度、経度、および高度）、移動速度、目的（買物、昼食）などから目的に合う地図情報を検索して提供するが、地図コンテンツとともに、関連する店舗情報などを付加的に送信することもできる。
【００３９】
図４は、本発明の第１実施形態に係る地図コンテンツ配信システムを示す概略図である。
このシステムは、制御部１０、位置情報管理部２０、管理装置３０、インターネット４０、地図情報ＣＰ（コンテンツプロバイダ）４１または地図情報クリアランス４２とから構成される。
制御部１０は、インターネット接続サービス４３を介してインターネット４０に接続されている。インターネット４０には、地図情報ＣＰ４１、あるいは地図情報クリアランス４２が接続されている。また、データベースを管理する管理装置３０とユーザの位置情報を管理する位置情報管理部２０とに接続されている。具体的には、制御部１０は、位置情報管理部２０から、ユーザの位置情報（緯度、経度、高度、および速度など）、ユーザの目的（飲食店を探す、駅を探す、迷子、買物など）を受け取り、管理装置３０からこの位置情報、目的に合った地図情報を検索し、この地図情報をユーザに提供する。この際、地図情報を含む地図コンテンツとともに、関連する店舗情報を付加的に送信することができる。このように、制御部１０では、位置情報管理２０からの緯度、経度、高度、速度、目的などをキー情報として管理装置３０に格納されている地図コンテンツリングデータベース３１から最適な地図コンテンツを検索する。また、制御部１０は、個々のユーザの移動ユーザにもっとも適合する地図や情報を配信するために、移動ユーザからの情報により評価する機能を有する。また、制御部１０は、地図および関連情報の提供と同時に表示を行い、評価した結果を評価分析データベースに登録することができる。
【００４０】
位置情報管理部２０は、制御部１０を介して移動ユーザからの要求に基づいてユーザの位置情報を含むユーザの状態、目的などの情報を取得し、その緯度、経度、高度、および速度を制御部１０に報告する。制御部１０は、位置情報管理部２０からのユーザの位置情報などの状態（歩行状態または停留状態）などを判断して、管理装置３０に格納されている地図情報からそのときのユーザ状態に応じた地図情報を検索し配信する。
【００４１】
管理装置３０は、地図コンテンツをリンクする地図コンテンツリンクデータベース３１と、この地図コンテンツに関連する情報を格納する地図コンテンツ関連データベース３２とを管理する。地図コンテンツリンクデータベース３１および地図コンテンツ関連データベース３２では、登録された地図情報のメタデータ化が行われる。また、地図情報ではないが、店舗情報などの情報も地図コンテンツ関連データベース３２に登録される。地図コンテンツリンクデータベース３１では、登録された後に速度、緯度、経度、高度、および表示範囲に応じたメタデータを生成する。地図コンテンツ関連データベース３２では、地図に付随する情報、飲食店情報、公園、各所史跡情報などが登録される。この情報も、飲食店、洋品店、公園、名所史跡などのメタデータを生成することができる。同時にこの店舗の緯度、経度、および高度情報などの位置情報もメタデータとして抽出することができる。
【００４２】
地図情報ＣＰ４１または地図情報クリアリングハウス４２では、予め地図情報または地図に関連するコンテンツ情報のリンクを、管理装置３０の地図コンテンツリンクデータベース３１または地図コンテンツ関連データベース３２に登録し、登録された地図情報を、メタデータの抽出を行うことによりメタデータ化する。メタデータはデータベースのデータにアクセスするために必要となるデータに関する情報であり、インターネット上のさまざまな情報を同定、または、探索するために必要となる、情報の属性を記述する情報であり、名称、作者、データの内容、入手方法など種々の属性の値の集合として構成される。
【００４３】
このように、管理装置３０に格納されている地図コンテンツリンクデータベース３１および地図コンテンツ関連データベース３２の情報により、制御部１０は、移動ユーザの位置情報（緯度、経度、高度、速度など）という条件から地図を選択して表示することができる。さらに、ユーザの目的、嗜好性などに応じた地図に依存する情報（飲食店など）も合わせて提供することができる。
【００４４】
図５は、制御部１０での動作を示すフローチャートである。この図は、制御部１０でユーザからのリクエストを受信してからサービスを応答してユーザに地図コンテンツを送信するまでの動作を示す制御フローである。
制御部１０では、位置情報管理からの緯度、経度、高度、速度、目的などをキー情報として、地図コンテンツリンクデータベースから最適な地図コンテンツを検索する。
【００４５】
まず、ステップＳ１０１において、制御部１０は、ユーザからの要求信号を受信する。このときのユーザデータとして、ユーザＩＤ、目的（飲食店を探す）などのユーザ状態情報、ユーザ嗜好性情報等を取得する。次に、ステップＳ１０２において、場所が「ここ」か否かが判別され、「ここ」の場合、ステップＳ１０３において、そのユーザの現在地「ここ」の位置情報を取得する。現在地「ここ」は、緯度、経度、高度、移動速度などによって特定される。ステップＳ１０３におけるユーザデータはユーザＩＤ、目的（飲食店を探す）、場所（ここ）、現在地（緯度、経度、高度、速度）などである。次に、ステップＳ１０４において、ユーザの嗜好性情報を問い合わせ、食べ物の好み、年齢などを取得する。ここにおけるユーザデータは、ユーザＩＤ、目的（飲食店を探す）、場所（ここ）、現在地（緯度、経度、高度、速度）、食べ物の好み（和食）、年齢（４０歳）などである。次に、ステップＳ１０５において、取得したユーザの目的、現在地、食べ物の好み、年齢などに基づいて地図コンテンツデータベースに問い合わせる。ステップＳ１０６では、これらの条件に適合した地図コンテンツを数種類取得する。ここにおけるユーザデータは、ユーザＩＤ、目的（飲食店を探す）、場所（ここ）、現在地（緯度、経度、高度、速度など）、食べ物の好み（和食）、年齢（４０歳）、地図コンテンツＩＤである。次に、ステップＳ１０７において、取得した数種類の地図をユーザに提示して提案を行い、ステップＳ１０８において、ユーザからの返答が戻ってくる。ここにおけるユーザデータは、ユーザＩＤ、目的（飲食店を探す）、場所（ここ）、現在地（緯度、経度、高度、速度など）、食べ物の好み（和食）、年齢（４０歳）、地図コンテンツＩＤ、ユーザ評価（１、２、または３）である。このようにして、ユーザ評価を行った後、ステップＳ１０９において課金精算を行う。最後に、ステップＳ１１０にて、ユーザのデータを保存する。
【００４６】
なお、図５のフローチャートに示す処理を実行するにあたっては、いずれも、ＲＯＭに予め格納されている制御プログラムを実行するものであるが、これに限らず、これらの手順を示したプログラムが記録された記憶媒体から、そのプログラムをＲＡＭに組み込んで実行するようにしても良い。あるいは、そのプログラムをネットワークから取得しても良い。
【００４７】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００４８】
図６は、本発明の地図コンテンツ配信システムにおける地図コンテンツおよび地図コンテンツ関連情報の連携方法を示す概略図である。
まず、飲食店Ａは、登録時に住所などを登録しておく。この住所が地図情報関連情報であり、管理装置３０の地図コンテンツ関連データベース３２に登録される。次に、この住所を緯度、経度、および高度情報に変換し、地図コンテンツリンクデータベース３１でその緯度、経度、および高度が含まれる地図コンテンツ５１を探し出す。これにより地図コンテンツ関連データ５２と、地図コンテンツ５１とを連携させることができる。
【００４９】
〔第２実施形態〕
図７は、本発明の第２実施形態に係る地図コンテンツ配信システムを示す概略図である。
この例では、ユーザプロファイル、ユーザ嗜好性データ１６を位置情報管理部２０とは別に備えた例である。
制御部１０からのリクエスト信号には、ユーザ名としてユーザＩＤが含まれ、このユーザＩＤを元にユーザプロファイル、ユーザ嗜好性データ１６から情報を取り出し、リスポンス信号として、制御部１０に戻す。ユーザプロファイルは、例えば年齢４０歳、身長１７０ｃｍなどのユーザ個人の情報であり、ユーザ嗜好性データは、例えば和食を好む、洋食を好むといった個人の好みの情報である。一方、制御部１０は、位置情報管理部２０に対して、ユーザIＤを含むリクエスト信号を出し、このユーザＩＤを元に位置情報管理部２０からユーザの位置情報（緯度、経度、高度、速度など）を取り出す。次に、管理装置３０は、ユーザプロファイル、ユーザ嗜好性データ１６からの情報と、位置情報管理部２０からの位置情報、ユーザの目的（飲食店を探す、駅を探すなど）などを受け取り、管理装置３０に格納されている地図コンテンツリンクデータベース３１、地図コンテンツ関連データベース３２からこの位置情報、目的に合った地図情報を検索し、制御部１０を介してこの地図情報をユーザに提供する。この際、地図情報を含む地図コンテンツとともに、関連する店舗情報を付加的に送信することができる。このように、制御部１０では、位置情報管理２０からの緯度、経度、高度、速度、目的などをキー情報として管理装置３０に格納されている地図コンテンツリングデータベース３１から最適な地図コンテンツを検索する。
【００５０】
図８は、本発明の第２実施形態に係る地図コンテンツ配信システムを地図情報クリアリングハウスなどを用いて配信する例である。
この例では、地図情報を、地図情報ＣＰ４１の代わりに地図クリアランスハウス４２を使用して取得する。地図情報クリアリングハウス４２以外に、Ｇｅｏ―Ｌｉｎｋ、Ｓｅａｒｃｈ  ｅｎｇｉｎｅなどを用いて取得することもできる。また、この場合、地図コンテンツリンクデータベース３１および地図コンテンツ関連データベース３２は、外部の装置として定義でき、地図情報クリアリングハウスまたはサーチエンジンとして利用することができる。その際、目的とするサービスを実現するためには、地図コンテンツリンクデータベース３１および地図コンテンツ関連データベース３２と制御部１０とのインタフェースを決めておく必要がある。制御部１０は、地図コンテンツリンクデータベース３１および地図コンテンツ関連データベース３２に予めメタデータとして分類する条件を送信しておく。また、サービス実行時に、検索条件となるキーパラメータを設定してその条件に合った地図コンテンツを応答して返送する。その際のパラメータとして、緯度、経度、高度、速度、ユーザ状態、表示範囲、目的（飲食店、駐車場など）、目的関連情報（嗜好性情報＜イタリアン＞など）のパラメータを送信して、データベースから地図情報と関連情報とを取得する。
【００５１】
〔第３実施形態〕
図９は、本発明の第３実施形態に係る地図コンテンツ配信システムを示す概略図である。
本実施形態は、位置情報管理部２０とは別に、ユーザ状態モデル１７を備え、ユーザの移動履歴からユーザの次の移動範囲を予測して、その移動速度に相当する表示範囲を制御部１０に返送する例である。他の機能は、第２実施形態と同様であるので、説明は省略する。ユーザの移動履歴は、ユーザ個人毎に歩行速度などが異なるが、例えば、ユーザの移動速度が１ｋｍ／ｈ〜３ｋｍ／ｈの場合は表示範囲を３ｋｍ四方とし、ユーザの移動速度が３ｋｍ／ｈ〜１５ｋｍ／ｈの場合は表示範囲を１５ｋｍ四方とし、ユーザの移動速度が２０ｋｍ／ｈ〜５０ｋｍ／ｈの場合は表示範囲を５０ｋｍ四方とし、その表示範囲をユーザの移動履歴とし、ユーザの移動履歴からユーザの次の移動範囲を予測してその値を返送する。制御部１０では、その表示範囲の地図コンテンツをユーザに表示する。
このように、ユーザ個人ごとに歩行速度などが異なる場合でも、ユーザ状態モデル１７を用いてその速度に応じて表示範囲を設定することができる。
【００５２】
〔第４実施形態〕
図１０は、本発明の第４実施形態に係る地図コンテンツ配信システムを示す概略図である。
本実施形態は、位置情報管理部２０とは別に、嗜好性履歴データを用い、嗜好性地図情報のフィードバックメカニズムを伴う例である。
管理装置３０は、地図コンテンツリンクデータベース３１と地図コンテンツ関連データベース３２とを格納し、かつ嗜好性履歴データ１８を管理する。嗜好性履歴データ１８はユーザの過去の嗜好性に関するデータを保存し、かつ、制御部１０からの評価データをも含む。この嗜好性履歴データ１８を、ユーザＡのデータとして、例えば、日時：２００４・３・１２、場所：渋谷（緯度、経度）、速度（表示範囲）：３ｋｍ、目的：飲食店を探す、地図名：地図２３２などを含む情報とともに管理装置３０に送出し、管理装置３０にて地図コンテンツリンクデータベース３１および地図コンテンツ関連リンクデータベース３２とリンクさせて最適な地図情報を検索する。この地図情報が配信された後、ユーザによって選択された地図の評価結果は、制御部１０に通知され、嗜好性履歴データ１８として再度保存される。
このように、嗜好性履歴データ１８を用いると、ユーザの嗜好性に関しては重要である情報をユーザの選択なしに選択可能となり、最も利用者に適応する地図を配信することができる。
【００５３】
以上、本発明の地図コンテンツ配信システムの実施形態について説明したが、このシステムを利用する際のシナリオとして２種類のシナリオを想定することができる。
図１１は、本発明の地図コンテンツ配信システムにおける利用シナリオ１を示す概略図である。
まず、ユーザが、制御部１０に対して、例えば目的として食事をするなどのリクエスト信号を送信すると、制御部１０からユーザに対して、該当する複数の地図情報と関連情報とをマッピングして提供する。ユーザは、提供された複数の地図情報から所望の地図を選択して制御部１０に通知すると同時に、リンクをクリックする。次に、制御部１０がユーザに対して関連情報を提供すると、ユーザはリンクをクリックして、さらに関連情報を取得する。この関連情報としては、方法、音声案内、簡易地図提供などがある。
【００５４】
図１２は、本発明の地図コンテンツ配信システムにおける利用シナリオ２を示す概略スである。
この例では、制御部１０が、ユーザのスケジュール、移動状況などから目的を予測し、Ａ飲食店を探すか、Ｂ駅を探すか、Ｃ喫茶店を探すか、Ｄコンビニを探すかのいずれかをリコメンデーションし、ユーザがＡ〜Ｄから選択し、制御部１０に通知する。次に、制御部１０からユーザに対して、該当する複数の地図情報と関連情報とをマッピングして提供される。ユーザは、複数の地図情報から所望の地図を選択して制御部１０に通知すると同時に、リンクをクリックする。次に、制御部１０がユーザに対して関連情報を提供すると、ユーザはリンクをクリックして、さらに関連情報を取得する。この関連情報としては、方法、音声案内、簡易地図提供などがある。
【００５５】
次に、本発明の地図コンテンツ配信システムを実施する際の情報の利用方法について説明する。
図１３は、地図コンテンツリンクデータベースにおけるカテゴリ別の内容を示す図である。
地図コンテンツリンクデータベース３１では、ユーザ状態に応じて、地図の縮小、表示範囲を限定する表を管理している。例えば、歩行者であれば、移動範囲が５０ｍから３ｋｍ範囲の地図を選択するとする。登録された地図コンテンツは、メタデータとして図中にある項目の情報を抽出する。登録時に登録させる場合もある。次に、制御部１０からの「ユーザ状態」、「表示範囲」、「位置情報」などから地図を特定する。
【００５６】
また１．地図の縮尺としては、１／５千，１／１万，１／５万，１／１０万，１／２０万、２．地域範囲としては、左上角の緯度および経度、右下角の緯度および経度、３．測地系種別としては、世界測地系、日本測地系、４．表現事物としては、道路，車道，歩道／建物，居住建物，事業用建物，ランドマーク，橋，神社，公園，交番など、その他、５．作成日時、６．管理者などの項目が設けられている。
【００５７】
例えば、ユーザ情報として、歩行者、自動車、電車などと特定し、表示範囲として、歩行者の場合は、３ｋｍ，１ｋｍ，５００ｍ，３００ｍ，１００ｍ，５０ｍ、自動車、電車の場合は、３ｋｍ，５ｋｍ，１０ｋｍ，２０ｋｍ，５０ｋｍとし、地図の縮尺として、歩行者の場合は、１／２０万、１／１０万、１／５万、自動車の場合は、１／１万，１／５千、電車の場合は、１／１万，１／２０万とする。
【００５８】
このように、地図コンテンツリンクデータベース３１では、登録された地図情報を上記の分類でカテゴリ化してメタデータとして登録管理し、制御部１０から「ユーザ状態」または「表示範囲」、位置情報（緯度、経度、および高度）から地図を特定する。例えば、表示範囲が指令された場合は、表を用いて該当する縮尺の地図を選択し、歩行者というパラメータであれば、該当する地図の縮尺を容易に選択することができる。
【００５９】
図１４は、地図コンテンツリンクデータベースと地図コンテンツ関連データベース情報のマッピング方法を示す図である。
この図を参照して、地図コンテンツから地図コンテンツと関連する情報、例えば、店舗やランドマークなどの情報を関連づけて表示される方法について説明する。
店舗として飲食店Ａは、ＵＲＬ、名称、住所、緯度、経度、高度、分類、細分類、値段などが特定され、飲食店の緯度および経度情報が世界測地系表現に変換される。例えば、飲食店ＡのＵＲＬがｗｗｗ／／ｈｔｔｐ．ｓｓｓ．ｄｄｄ．ｃｏｍ／、名称が飲食店Ａ、住所が港区…、緯度が３５度３０時１１．７分、経度が１３９度２９時４８．５分、分類が飲食店、細分類がカフェ、値段が６００円〜１２００円などと特定される。緯度および経度の情報を世界測地系表現に変換すると、１１１ｋｍ／時、３０ｍ／時，８５ｃｍ／分となる。
【００６０】
また、地図Ａとして、緯度、経度、表示範囲、表示事物（道路、建物など）が指定され、緯度が３５度３０時１１．７分、経度が１３９度２９時４８．５分、表示範囲が３ｋｍ四方、表示事物が道路：青山通り、建物：赤坂プリンスホテル、国立劇場などと指定された場合、３０ｍ四方にシートを分割して、メッシュに分割した交点に該当するポイントを飲食店Ａとしてプロットすれば良い。
【００６１】
マッピング方法としては、例えば、選択した地図と同じ大きさの透明のシートを用意し、左上の角の座標と右下の角の座標からシートを分割する。その際、飲食店の緯度および経度と同じ単位にシートは分割される。また、リクエスト（Ｒｅｑｕｅｓｔ）信号には、緯度、経度、速度、目的、嗜好性、プロファイルなどが含まれ、緯度、経度、速度から該当する地図情報を選択する。次に、ユーザの目的（探し物など）として設定された値から地図コンテンツ関連データベースから関連する飲食店情報を取得し、上記選択された地図上にマッピングし、マッピングした地図を幾つか提案し、応答（Ｒｅｓｐｏｎｓｅ）信号として地図情報を送信する。
【００６２】
図１５は、地図コンテンツメタデータの一例を示す図である。
メタデータの分類としては、地図コンテンツ識別情報、地図コンテンツ構成情報、地図コンテンツ表現方法、地図コンテンツ内容情報、地図コンテンツ関連情報がある。
地図コンテンツ識別情報は、ＵＲＬなどの地図コンテンツ識別情報が含まれる。
地図コンテンツ構成情報は、地図コンテンツの大きさ（Ｘ  ｂｙｔｅなど）、コンテンツ構成情報（テキスト部分、画像部分、リンク部分）とその割合および構成情報の他に、作成年月日、作成者が含まれる。
【００６３】
地図コンテンツ表現方法は、地図コンテンツの記述言語、表現言語であり、画像フォーマットとして、ＢＭＰ、ＪＰＥＧ、ＧＩＦ、ＰＳＤ、ＴＩＦＦ、ＰＩＣＴ、ＰＮＧなど、記述言語として、ＸＭＬなどが含まれる。
地図コンテンツ内容情報は、地図情報詳細内容（緯度、経度、高度、表現範囲、記載事物情報）であり、緯度、経度、高度、縮尺、範囲、記載事物情報（道路、建物、河川、駅）などが含まれる。
地図コンテンツ関連情報は、地図コンテンツページに記載されているテキスト部分のキーワード情報であり、店舗情報、名所解説情報、利用目的（店案内、駅案内、現在地把握）、利用者情報（歩行者用、自動車用、電車用）などが含まれる。
【００６４】
図１６は、制御部１０および地図コンテンツ選択に利用させるデータベースを示す図である。図１６（ａ）は、データベース１００、図１６（ｂ）はデータベース２００を示す。
データベース１００は、ユーザＩＤをキーとしてユーザに関して表現する情報、例えば、年齢や嗜好性などの個人の情報を管理する。嗜好性については、例えば、食べ物として「和食」などを指定することができる。このようにして入力されたキーデータを中心にして、補助データに基づいて出力データを抽出する。抽出されたデータは、移動機ＩＤを経て移動機を特定し、移動機能力および移動機種別を抽出する。
【００６５】
データベース２００は、年齢別の食の好みのリストなど、個人のデータではなく、一般的な嗜好情報を管理している。データベース１００で出力された情報に基づいて、「和食」について、世代ごとに好みの食べ物リストを用意しておく。例えば、３０代では、８０％の人が「寿司」を好むとか、年代を基準にして好みの店舗、好みのメニューリストを参考情報として取得することができる。従って、パーセンテージの高いものから選択すれば、ユーザの嗜好性にマッチングデータベース２００のような、一般的な情報を利用してユーザの嗜好性にある情報を提供することができる。
このように、このデータベースには、ユーザのプロファイルに合ったユーザの情報を管理するデータベースと、一般的な人の嗜好性情報である嗜好性データベースなどがある。
【図面の簡単な説明】
【００６６】
【図１】本発明の第１実施形態に係る地図コンテンツ配信システムにおける地図情報の取得および配信を説明する概略図である。
【図２】本発明の第１実施形態に係る地図コンテンツ配信システムにおける地図情報利用サービスの方法を具体的に示す画面である。
【図３】本発明の第１実施形態に係る地図コンテンツ配信システムにおけるサービス部の構成を示すブロック図である。
【図４】本発明の第１実施形態に係る地図コンテンツ配信システムの構成を示す概略図である。
【図５】本発明の地図コンテンツ配信システムの制御部における動作を示すフローチャートである。
【図６】本発明の地図コンテンツ配信システムにおける地図コンテンツおよび地図コンテンツ関連情報の連携方法を示す概略図である。
【図７】本発明の第２実施形態に係る地図コンテンツ配信システムの構成を示す概略図である。
【図８】本発明の第２実施形態に係る地図コンテンツ配信システムの他の構成を示す概略図である。
【図９】本発明の第３実施形態に係る地図コンテンツ配信システムの構成を示す概略図である。
【図１０】本発明の第４実施形態に係る地図コンテンツ配信システムの構成を示す概略                                          図である。
【図１１】本発明の地図コンテンツ配信システムの利用方法の一例を示す概略図である。
【図１２】本発明の地図コンテンツ配信システムの利用方法の他の一例を示す概略図である。
【図１３】本発明の地図コンテンツ配信システムの地図コンテンツリンクデータベースにおけるカテゴリ別の内容を示す図である。
【図１４】本発明の地図コンテンツ配信システムにおける地図コンテンツデータベースと地図コンテンツ関連データベースとの間のマッピング方法を示す概略図である。
【図１５】本発明の地図コンテンツ配信システムにおける地図コンテンツメタデータを示す図である。
【図１６】本発明の地図コンテンツ配信システムの配信システムに利用するユーザ嗜好性情報を管理するデータベースを示す図である。
【図１７】従来のシステムにおける地図情報利用の仕組みを示す概略図である。
【図１８】従来のシステムにおける地図情報利用サービスの画面を示す図である。
【符号の説明】
【００６７】
１…ユーザ状態管理部、２…ユーザ個人情報管理部、３…検索部、４…加工部、５…評価部、１０…制御部、１１…サービス部、１６…ユーザプロファイルおよびユーザ嗜好性データ、１７…ユーザ状態データ、１８…嗜好性履歴データ、２０…位置情報管理部、３０…管理装置、３１…地図コンテンツリンクデータベース、３２…地図コンテンツ関連データベース、４０…インターネット、４１…地図情報コンテンツプロバイダ、４２…地図情報クリアランス、４３…インターネット接続プロバイダ、５０…地図コンテンツ、５１地図コンテンツデータ、５２…地図コンテンツ関連データ、５３…拡大地図コンテンツ、１００，２００…データベース
【図１】
2005327128.tif 000003
【図２】
2005327128.tif 000004
【図３】
2005327128.tif 000005
【図４】
2005327128.tif 000006
【図５】
2005327128.tif 000007
【図６】
2005327128.tif 000008
【図７】
2005327128.tif 000009
【図８】
2005327128.tif 000010
【図９】
2005327128.tif 000011
【図１０】
2005327128.tif 000012
【図１１】
2005327128.tif 000013
【図１２】
2005327128.tif 000014
【図１３】
2005327128.tif 000015
【図１４】
2005327128.tif 000016
【図１５】
2005327128.tif 000017
【図１６】
2005327128.tif 000018
【図１７】
2005327128.tif 000019
【図１８】
2005327128.tif 000020